(57)【要約】【課題】本発明は、食器等を洗浄運転、すすぎ運転、あるいは乾燥運転をシーケンス制御するとともに、冷熱サイクルヒートポンプの熱を利用した食器洗浄乾燥方法および食器洗浄乾燥システムに関するものである。【解決手段】本発明の冷熱サイクルヒートポンプは、圧縮機による加熱、膨張弁による冷却、大気中の熱を交換することができる第１の閉回路から構成される。前記第１の閉回路中において、冷媒は、前記圧縮機で圧縮することにより加熱される。前記加熱された冷媒は、ヒータ内を移動させることにより食器洗浄庫内および洗浄水を加熱する。前記ヒータ内を移動した前記冷媒は、前記第１の閉回路に設けられた膨張弁により膨張させて冷却される。第１発明の冷熱サイクルヒートポンプの熱利用食器洗浄乾燥方法は、大気中の熱を巧みに利用することにより、省エネルギーを図ることができる。【選択図】図１
2008125962.tif 000002
【特許請求の範囲】
【請求項１】
洗浄運転、すすぎ運転、乾燥運転を、シーケンス制御により制御するとともに、冷熱サイクルヒートポンプの熱を利用した食器洗浄乾燥方法において、
圧縮機によって、冷媒を圧縮し、高温となった冷媒をヒータ内で移動させることにより食器洗浄庫内および洗浄水を加熱し、
前記ヒータ内を移動した前記冷媒を膨張させて冷却し、
前記冷却された冷媒を冷媒加熱熱交換器によって大気中の熱を汲み上げ、
前記加熱および冷却を第１の閉回路内で行う冷熱サイクルヒートポンプの熱を利用することを特徴とする食器洗浄乾燥方法。
【請求項２】
冷水タンク内の不凍液を前記冷熱サイクルヒートポンプを構成する第１の閉回路内で得られた冷却された冷媒により冷却して循環させ、食器洗浄庫内の湿気を乾燥する第２の閉回路からなることを特徴とする請求項１に記載された冷熱サイクルヒートポンプの熱を利用した食器洗浄乾燥方法。
【請求項３】
前記食器洗浄乾燥装置の乾燥時に、前記第２の閉回路を循環する不凍液および／または冷却水は、膨張弁で気化されて冷却された冷媒により冷却され、食器洗浄庫内の高温高湿の空気と熱交換することで湿気が凝縮されることを特徴とする請求項１または請求項２に記載された冷熱サイクルヒートポンプの熱を利用した食器洗浄乾燥方法。
【請求項４】
洗浄運転、すすぎ運転、乾燥運転を、シーケンス制御により制御するとともに、冷熱サイクルヒートポンプの熱を利用した食器洗浄乾燥システムにおいて、
冷熱サイクルヒートポンプによって発生させた熱を、給熱管を介して前記食器洗浄乾燥装置の熱源とする加熱手段と、
前記給熱管に設けられた、大気中の熱を汲み上げて加熱する圧縮機および膨張させて冷却する膨張弁と、
前記加熱手段、圧縮機、および膨張弁が給熱管により連結され、冷媒が循環する冷熱サイクルヒートポンプを構成する第１の閉回路と、
から少なくとも構成される冷熱サイクルヒートポンプの熱を利用することを特徴とする食器洗浄乾燥システム。
【請求項５】
前記冷熱サイクルヒートポンプを構成する第１の閉回路を循環する冷媒により冷水採取熱交換器を介して冷却された不凍液および／または冷却水をを循環させて食器洗浄庫内の湿気を凝縮して乾燥する乾燥熱交換器と、前記不凍液および／または冷却水を貯える冷水タンクとが管によって接続されている第２の閉回路を構成する蓄熱装置が設けられていることを特徴とする請求項４に記載された冷熱サイクルヒートポンプの熱を利用した食器洗浄乾燥システム。
【請求項６】
前記第２の閉回路は、蓄熱装置循環ポンプによって不凍液または冷却水を循環するとともに、前記不凍液および／または冷却水を貯える冷水タンクが設けられていることを特徴とする請求項４または請求項５に記載された冷熱サイクルヒートポンプの熱を利用した食器洗浄乾燥システム。
【請求項７】
乾燥運転開始時には、蓄熱装置循環ポンプを稼働し、
第２の閉回路の不凍液および／または冷却水を循環させ、
食器洗浄庫内の高温高湿の空気と熱交換させ、
食器洗浄庫内の温度が高い時には、
冷熱サイクルヒートポンプを稼働せず、
温度低下により冷熱サイクルヒートポンプを稼働させることを特徴とする請求項４から請求項６のいずれか１項に記載された食器洗浄乾燥システム。
【発明の詳細な説明】
【技術分野】
【０００１】
本発明は、食器等を洗浄運転、すすぎ運転、あるいは乾燥運転をシーケンス制御するとともに、冷熱サイクルヒートポンプの熱を利用した食器洗浄乾燥方法および食器洗浄乾燥システムに関するものである。本発明は、特に、大気中の熱を汲み上げ、圧縮して加熱する効率の良い冷熱サイクルヒートポンプと、冷気を不凍液を介して冷水タンクに貯め置くことができる蓄熱装置とを併用して、熱効率を向上させた冷熱サイクルヒートポンプの熱を利用した食器洗浄乾燥方法および食器洗浄乾燥システムに関するものである。
【背景技術】
【０００２】
従来の食器洗浄乾燥装置は、食器洗浄庫内に収納された食器等を設定された温度の水、および空気中で所望のシーケンスにしたがって、自動的に洗浄運転、すすぎ運転、乾燥運転が行われ、その結果、前記食器等が洗浄、すすぎ、乾燥される。前記食器洗浄乾燥装置は、安定した洗浄能力を発揮するだけではなく、高効率あるいは環境の改善等が要望されている。
【０００３】
たとえば、特許第３７６８４９０号公報における食器洗浄乾燥装置は、停電後、停電検出手段によって停電状態が復帰したか否かを検出する。また、前記停電検出手段は、温度検出手段によって、停電復帰後における食器洗浄庫内の水および空気の温度がほぼ設定温度であるか否かを検出する。前記食器洗浄庫内の水および空気の温度が設定状態である場合、運転制御手段は、運転状態記憶手段から停電状態直前の運転状態を読み出し、そのまま運転状態を継続するように制御している。前記食器洗浄乾燥装置は、停電後、食器洗浄庫内の温度が設定状態であるにもかかわらず、最初から運転制御をやり直すといた非効率的な運転を行わないため、従来のものと比較して、効率が向上している。
【特許文献１】特許第３７６８４９０号公報
【発明の開示】
【発明が解決しようとする課題】
【０００４】
従来の食器洗浄乾燥装置は、洗浄運転、すすぎ運転、乾燥運転を行う際に、食器洗浄庫内の温度を所定の温度に保つために、加熱装置として、ヒータを備え、また、前記食器洗浄庫内の温度を所定の温度に下げるために、冷却装置として、送風ファン、冷却ファン、凝縮器等を備えておく必要があった。
【０００５】
従来の食器洗浄乾燥装置における発熱は、電力を利用している。また、食器洗浄乾燥装置における冷却は、内部の熱を食器洗浄乾燥装置の庫外へ放出すると同時に、前記食器洗浄庫内より温度の低い外気を内部に導入している。前記食器洗浄乾燥装置は、電力により発生させた熱をそのまま食器洗浄庫外に放出することになり、熱効率の観点から、効率の悪い熱の利用方法であった。
【０００６】
また、従来の食器洗浄乾燥装置は、乾燥を促進させるために、食器洗浄庫内の温度を高温にする必要があり、前記食器洗浄庫内を高温にするエネルギーが必要であるだけでなく、前記高温のため、プラスチック製食器の中には乾燥させることができないものがあった。
【０００７】
以上のような課題を解決するために、本出願人は、熱効率が問題になっている食器洗浄乾燥装置と、効率良く熱を移動させることができる冷熱サイクルヒートポンプとの関係に着目した。本発明は、冷熱サイクルヒートポンプを効率の良い加熱手段として使用するだけでなく、加熱した後のエネルギーを冷気として利用する冷熱サイクルヒートポンプの熱を利用する食器洗浄乾燥方法および食器洗浄乾燥システムを提供することを目的とする。また、本発明は、食器等の乾燥時に低温の冷媒と高温高湿の食器洗浄庫内空気とを熱交換させ、湿気を凝縮することで、乾燥効率を向上できる冷熱サイクルヒートポンプの熱を利用した食器洗浄乾燥方法および食器洗浄乾燥システムを提供することを目的とする。
【課題を解決するための手段】
【０００８】
（第１発明）
第１発明の食器洗浄乾燥方法は、洗浄運転、すすぎ運転、乾燥運転を、シーケンス制御により制御するとともに、冷熱サイクルヒートポンプの熱を利用するものであり、圧縮機によって、冷媒を圧縮し、高温となった冷媒をヒータ内で移動させることにより食器洗浄庫内および洗浄水を加熱し、前記ヒータ内を移動した前記冷媒を膨張させて冷却し、前記冷却された冷媒を冷媒加熱熱交換器によって大気中の熱を汲み上げ、前記加熱および冷却を第１の閉回路内で行う冷熱サイクルヒートポンプの熱を利用することを特徴とする。
【０００９】
（第２発明）
第２発明の食器洗浄乾燥方法は、第１発明における冷水タンク内の不凍液を前記冷熱サイクルヒートポンプを構成する第１の閉回路内で得られた冷却された冷媒により冷却して循環させ、食器洗浄庫内の湿気を乾燥する第２の閉回路からなることを特徴とする。
【００１０】
（第３発明）
第３発明の食器洗浄乾燥方法は、第１発明または第２発明における食器洗浄乾燥装置の乾燥時に、前記第２の閉回路を循環する不凍液および／または冷却水は、膨張弁で気化されて冷却された冷媒により冷却され、食器洗浄庫内の湿気が凝縮されることを特徴とする。
【００１１】
（第４発明）
第４発明の食器洗浄乾燥システムは、洗浄運転、すすぎ運転、乾燥運転を、シーケンス制御により制御するとともに、冷熱サイクルヒートポンプの熱を利用したものであり、冷熱サイクルヒートポンプによって発生させた熱を、給熱管を介して前記食器洗浄乾燥装置の熱源とする加熱手段と、前記給熱管に設けられた、大気中の熱を汲み上げて加熱する圧縮機および膨張させて冷却する膨張弁と、前記加熱手段、圧縮機、および膨張弁が給熱管により連結され、冷媒が循環する冷熱サイクルヒートポンプを構成する第１の閉回路とから少なくとも構成される冷熱サイクルヒートポンプの熱を利用することを特徴とする。
【００１２】
（第５発明）
第５発明の食器洗浄乾燥システムは、第４発明の冷熱サイクルヒートポンプを構成する第１の閉回路を循環する冷媒により冷水採取熱交換器介して冷却された不凍液および／または冷却水を循環させて食器洗浄庫内の湿気を凝縮して乾燥する乾燥熱交換器と、前記不凍液および／または冷却水を貯える冷水タンクとが管によって接続されている第２の閉回路を構成する蓄熱装置が設けられていることを特徴とする。
【００１３】
（第６発明）
第６発明の食器洗浄乾燥システムは、第４発明または第５発明における第２の閉回路が蓄熱装置循環ポンプによって不凍液および／または冷却水を循環するとともに、前記不凍液および／または冷却水を貯えた水冷タンクが設けられることを特徴とする。
【００１４】
（第７発明）
第７発明の食器洗浄乾燥システムは、第４発明から第６発明において、乾燥運転開始時には、蓄熱装置循環ポンプを稼働し、第２の閉回路の不凍液および／または冷却水を循環させ、食器洗浄庫内の高温高湿の空気と熱交換させ、食器洗浄庫内の温度が高い時には、冷熱サイクルヒートポンプを稼働せず、温度低下により冷熱サイクルヒートポンプを稼働させることを特徴とする。
【発明の効果】
【００１５】
本発明によれば、食器洗浄乾燥装置が洗浄運転、すすぎ運転、あるいは乾燥運転を行う際に、前記食器洗浄庫内の温度上昇が必要な場合、冷熱サイクルヒートポンプを駆動させて、大気中より移動させた熱を利用することによって省エネルギーを図ることができる。
【００１６】
本発明によれば、冷熱サイクルヒートポンプの加熱動作時に排出される低い温度の冷媒を利用して、冷水タンク内の不凍液および／または冷却水を冷却することができるため、前記冷却された不凍液および／または冷却水により、前記食器洗浄乾燥装置の食器洗浄庫内における高温高湿な湿気を凝縮させることにより、食器洗浄庫内の食器等を容易で、かつ、効率的に乾燥させることができる。
【００１７】
本発明によれば、冷熱サイクルヒートポンプによる省エネルギー効果だけでなく、外部に放出していた冷気を利用して、食器洗浄庫内の高温高湿な湿気を凝縮させて乾燥効率を向上させることができる。
【００１８】
本発明によれば、冷熱サイクルヒートポンプを利用することで、化石燃料を主に使用している電気エネルギーを効率良く使用できるため、環境への負荷が低い食器洗浄乾燥方法および食器洗浄乾燥システムとすることができる。
【発明を実施するための最良の形態】
【００１９】
（第１発明）
第１発明の冷熱サイクルヒートポンプの熱を利用した食器洗浄乾燥方法は、食器洗浄庫内に入れた食器等を洗浄する洗浄運転、前記洗浄後のすすぎ運転、すすぎの終わった食器等を乾燥する乾燥運転を、シーケンス制御により制御するものである。冷熱サイクルヒートポンプは、圧縮機による加熱、膨張弁による冷却、大気中の熱を交換することができるように第１の閉回路が構成されている。
【００２０】
前記第１の閉回路を構成している冷熱サイクルヒートポンプは、前記第１の閉回路中において、圧縮機によって、冷媒を圧縮し、高温となった冷媒がヒータ内を移動することにより食器洗浄庫内および洗浄水を加熱する。前記ヒータ内を移動した前記冷媒は、前記第１の閉回路に設けられた膨張弁により膨張させて冷却される。第１発明の冷熱サイクルヒートポンプの熱利用食器洗浄乾燥方法は、大気中の熱を巧みに利用することにより、省エネルギーを図ることができる。
【００２１】
前記冷熱サイクルヒートポンプの熱を利用した食器洗浄乾燥方法は、冷熱サイクルヒートポンプを構成する前記第１の閉回路内で得られた冷媒の熱をヒータで消費する。前記ヒータで熱を消費された冷媒は、膨張弁で気化された後、アキュムレータにより液体に戻される。第１の閉回路における冷媒は、電気ヒータのような熱原を使用しないので、省エネルギー効果を達成することができる。
【００２２】
（第２発明）
第２発明の冷熱サイクルヒートポンプの熱を利用した食器洗浄乾燥方法は、冷熱サイクルヒートポンプを構成する第１の閉回路におけるヒータで熱エネルギーを消費した冷媒が冷却される。前記冷却された冷媒は、食器洗浄庫内の湿気を乾燥するために給熱管によって接続された第２の閉回路を循環する。
【００２３】
（第３発明）
第３発明の冷熱サイクルヒートポンプの熱を利用した食器洗浄乾燥方法は、食器等の乾燥運転時に、前記第２の閉回路で冷却された冷媒が膨張弁で気化されて不凍液および／または冷却水となる。前記冷却された不凍液および／または冷却水は、第２の閉回路を循環し、高温高湿の食器洗浄庫内空気と熱交換することで、湿気を凝縮し、前記食器洗浄庫内を乾燥する。
【００２４】
（第４発明）
第４発明の冷熱サイクルヒートポンプの熱を利用した食器洗浄乾燥システムは、食器洗浄庫内に入れた食器等を洗浄する洗浄運転、前記洗浄後のすすぎ運転、すすぎの終わった食器等を乾燥する乾燥運転を、シーケンス制御により制御するシステムである。冷熱サイクルヒートポンプは、冷媒を加熱する圧縮機、前記加熱された冷媒で食器洗浄庫内等を加熱した後、膨張により冷却する膨張弁、大気中の熱を交換する冷媒加熱熱交換器が第１の閉回路を構成している。前記冷熱サイクルヒートポンプによって発生させた熱は、給熱管を介して前記食器洗浄庫内を循環する加熱手段により、前記食器洗浄乾燥装置の加熱手段として利用される。
【００２５】
前記給熱管に設けられた圧縮機は、大気中の熱を汲み上げて圧縮することにより冷媒が加熱される。また、前記膨張弁は、圧縮機と反対にヒータ等の加熱手段を通過した後、前記冷媒を膨張させることにより冷却する。前記冷熱サイクルヒートポンプを構成する第１の閉回路には、前記加熱手段、圧縮機、および膨張弁が給熱管によって連結されている。第４発明は、前記圧縮機および膨張弁によって、大気中より移動させた熱を利用することにより、省エネルギーを達成することができる。
【００２６】
冷熱サイクルヒートポンプを構成する第１の閉回路には、冷媒加熱熱交換器が設けられている。前記冷媒加熱熱交換器は、たとえば、ファンモータ等により大気中の熱を汲み上げるとともに、アキュムレータによって、気化されている冷媒を液体に戻す。膨張弁によって気化されたれ冷媒は、前記アキュムレータにより、液体に戻り、前記第１の閉回路に設けられた圧縮機により前記と同じ処理が繰り返されて行われ、大気中の熱を有効に利用している。
【００２７】
（第５発明）
第５発明の第２の閉回路は、少なくとも、冷水採取熱交換器と、乾燥熱交換器と、冷水タンクとが管によって接続された構成からなる蓄熱装置である。前記冷水採取熱交換器は、前記膨張弁によって温度を下げた冷媒により熱交換し、さらに、低い温度の不凍液および／または冷却水に変換する。また、前記冷水タンクは、前記不凍液および／または冷却水を貯えられる。
【００２８】
（第６発明）
第６発明の第２の閉回路には、前記冷水採取熱交換器で冷却された不凍液および／または冷却水を貯える冷水タンクが設けられている。前記不凍液および／または冷却水は、第２の閉回路を蓄熱装置循環ポンプによって循環される際に、冷熱サイクルヒートポンプよって、熱交換された冷気により冷却される。前記冷水採取熱交換器は、第１の閉回路を循環する冷媒のエネルギーを放出した後の冷気を効率良く利用することができる。
【００２９】
（第７発明）
第７発明の食器洗浄乾燥システムは、乾燥運転開始時に、蓄熱装置循環ポンプを稼働し、第２の閉回路の不凍液および／または冷却水を循環させ、第１の閉回路における冷熱サイクルヒートポンプの運転を停止することにより、電力の消費を節減しようとするものである。乾燥運転開始時に、食器洗浄庫内は、高温高湿であり、冷熱サイクルヒートポンプの熱が不要であり、前記蓄熱装置に貯えられて冷却された不凍液および／または冷却水を第２の閉回路のみで循環させ、食器洗浄庫内の高温高湿の空気と熱交換させて乾燥状態となる。前記食器洗浄庫は、内部の温度が低下した場合、必要に応じて、第１の閉回路で冷熱サイクルヒートポンプによる熱を使用することができる。
【実施例】
【００３０】
図１は本発明における食器洗浄乾燥装置の１実施例を説明するための概略構成図である。図１において、食器洗浄乾燥装置１１は、食器洗浄庫１２と、冷熱サイクルヒートポンプ１３と、蓄熱装置１４と、第３の閉回路１５とから少なくとも構成されている。前記食器洗浄庫１２は、水を前記食器洗浄庫１２内に導入する給水弁１２１と、前記食器洗浄庫１２内の水を排水する排水ポンプ１２２と、前記排水ポンプ１２２によって排水（１２４）する排水管１２３とから少なくとも構成されている。
【００３１】
前記冷熱サイクルヒートポンプ１３は、冷媒を圧縮する圧縮器１３１と、前記食器洗浄庫１２内を加熱するヒータ１３２と、前記ヒータ１３２を通った冷媒を膨張させて冷却する膨張弁１３３と、前記冷却された冷媒を熱交換する冷水採取熱交換器１３４と、前記冷却された冷媒を加熱する冷媒加熱熱交換器１３５と、前記冷媒加熱熱交換器１３５に外気を当てて暖めるファンモータ１３６と、前記冷媒加熱熱交換器１３５により暖められた冷媒を膨張弁で液体に戻すアキュムレータ１３７と、これらの機器が給熱管１３８によって閉回路となるように接続されている第１の閉回路１３９とから少なくとも構成されている。
【００３２】
前記蓄熱装置１４は、蓄熱装置循環ポンプ１４１と、前記第１の閉回路１３９からの冷気を熱交換する冷水採取熱交換器１３４と、前記不凍液および／または冷却水を冷媒として貯える冷水タンク１４２と、前記不凍液および／または冷却水を凝縮して乾燥させる乾燥熱交換器１４３と、これらの機器が配管によって閉回路となるように接続された第２の閉回路１４５とから構成されている。
【００３３】
なお、前記乾燥熱交換器１４３は、食器洗浄庫１２からの湿気をファンモータ１５１により食器洗浄庫１２の吸気口１２５から取り入れ、前記乾燥熱交換器１４３の凝縮器で凝縮した水分を前記食器洗浄庫１２の通気口１２６に戻し、前記排水管１２３から外部に排水（１２４）する。また、前記冷水採取熱交換器１３４、冷媒加熱熱交換器１３５、および乾燥熱交換器１４３の周面に結露した水分は、前記各熱交換器の周面を覆うカバー１５２、１５４、１５５によって集められ、排水管１５２′、１５、１５３を通り、矢印のように食器洗浄庫１２の通気口１２６に戻される。図１において、前記排水管１５２′、１５、１５３は、高さ関係が無視されて描かれており、前記水分が上部から下部に向かって落下されて前記食器洗浄庫１２の通気口１２６に戻るようになっている。
【００３４】
前記第１の閉回路１３９を構成している前記冷熱サイクルヒートポンプ１３は、大気中の熱を圧縮機１３１を利用して効率良く汲み上げ、冷媒を移動させることにより、加熱を行ない、洗浄運転、すすぎ運転、乾燥運転の際の熱源を得ている。前記加熱された冷媒は、膨張弁１３３を開放することにより、冷却されるとともに、前記冷水採取熱交換器１３４を介して熱交換され、第２の閉回路１４５を構成する蓄熱装置１４を循環する不凍液および／または冷却水を冷却する。前記不凍液および／または冷却水は、冷水タンク１４２に熱源として貯えられる。
【００３５】
前記冷水タンク１４２に貯えられた不凍液および／または冷却水は、前記第２の閉回路１４５を構成する蓄熱装置１４に設けられた乾燥熱交換器１４３によって、前記食器洗浄庫１２内の湿気を吸気口１２５からファンモータ１５１で取り込み、凝縮させる。また、前記凝縮の結果得られた水分は、図示の矢印のように食器洗浄庫１２の通気口１２６から排水管１５、１２３を通り、排水１２４される。前記冷水タンク１４２の不凍液および／または冷却水は、蓄熱装置循環ポンプ１４１により第２の閉回路１４５を循環させながら、前記冷水採取熱交換器１３４の熱交換により冷却される。
【００３６】
前記冷熱サイクルヒートポンプ１３は、加熱駆動している時に、前記冷水タンク１４２内に設置されている図示されていない温度検出手段により、検出温度が一定温度以下の場合、冷媒加熱熱交換器１３５のファンモータ１３６を駆動させて、冷気を外気に放出する。前記検出温度が一定温度以上の場合、蓄熱装置１４に設けられている蓄熱装置循環ポンプ１４１は、駆動されて冷水採取熱交換器１３４を介して冷水タンク１４２内に冷気を貯めて置くようにする。前記冷媒加熱熱交換器１３５で得た熱エネルギーは、第１の閉回路１３９に設けられているアキュムレータ１３７で冷媒を液体に戻す。
【００３７】
以上、本発明の実施例を詳述したが、本発明は、前記実施例に限定されるものではない。そして、本発明は、特許請求の範囲に記載された事項を逸脱することがなければ、種々の設計変更を行うことが可能である。たとえば、食器洗浄庫内部の構造、シーケンス制御、熱交換器、ポンプ等、配管類は、公知または周知のものを使用することができる。
【図面の簡単な説明】
【００３８】
【図１】本発明における食器洗浄乾燥装置の１実施例を説明するための概略構成図である。（実施例）
【符号の説明】
【００３９】
１１・・・食器洗浄乾燥装置
１２・・・食器洗浄庫
１２１・・・給水弁
１２２・・・排水ポンプ
１２３・・・排水管
１２４・・・排水
１２５・・・吸気口
１２６・・・通気口
１３・・・冷熱サイクルヒートポンプ
１３１・・・圧縮機
１３２・・・ヒータ
１３３・・・膨張弁
１３４・・・冷水採取熱交換器
１３５・・・冷媒加熱熱交換器
１３６・・・ファンモータ
１３７・・・アキュムレータ
１３８・・・給熱管
１３９・・・第１の閉回路
１４・・・蓄熱装置
１４１・・・蓄熱装置循環ポンプ
１４２・・・冷水タンク
１４３・・・乾燥熱交換器
１４５・・・第２の閉回路
１５・・・第３の閉回路（排水管）
１５１・・・ファンモータ
１５２、１５４、１５５・・・カバー
１５３、１５２′・・・排水管
【図１】
2008125962.tif 000003